(57)【特許請求の範囲】
【請求項１】
複数の文字情報で構成される文章コンテンツから映像コンテンツを生成する処理をコンピュータに実行させる映像コンテンツ生成プログラムであって、
前記文字情報ごとに、当該文字情報を異なるカテゴリでそれぞれ解釈した複数の解釈情報を記憶部にあらかじめ記憶する解釈情報記憶手順と、
前記複数の解釈情報にそれぞれ対応する前記文字情報の内容を示す複数の映像情報を記憶部にあらかじめ記憶する映像情報記憶手順と、
前記文章コンテンツに含まれる文字情報をいずれの解釈カテゴリで解釈するかを選択した選択カテゴリと、当該文章コンテンツとをユーザから受け付けた場合に、当該文章コンテンツに含まれる各文字情報について、前記解釈情報記憶手順により記憶部に記憶されている複数の解釈情報の中から、当該選択カテゴリに対応する解釈情報を取得する解釈情報取得手順と、
前記映像情報記憶手順により記憶部に記憶されている複数の映像情報の中から、前記解釈情報取得手順により取得された解釈情報に対応する文字情報の内容を示す映像情報を抽出して、映像コンテンツを生成する映像コンテンツ生成手順と、
前記映像コンテンツ生成手順により生成された映像コンテンツと、前記文章コンテンツとをあわせてユーザに出力するコンテンツ出力手順と、
をコンピュータに実行させることを特徴とする映像コンテンツ生成プログラム。
【請求項２】
前記複数の解釈情報は、前記文字情報を客観、主観及び属性でそれぞれ解釈した解釈情報を含むことを特徴とする請求項１に記載の映像コンテンツ生成プログラム。
【請求項３】
前記解釈情報取得手順は、前記文章コンテンツに含まれる文字情報をいずれの解釈カテゴリで優先的に解釈するかが順位付けされた選択カテゴリを受け付けて、前記解釈情報記憶手順により記憶部に記憶されている解釈情報の中に、優先順位が上位の選択カテゴリに対応する解釈情報が記憶されていない場合には、優先順位が次位の選択カテゴリに対応した解釈情報を取得することを特徴とする請求項１又は２に記載の映像コンテンツ生成プログラム。
【請求項４】
複数の文字情報で構成される文章コンテンツから映像コンテンツを生成する映像コンテンツ生成方法であって、
前記文字情報ごとに、当該文字情報を異なるカテゴリでそれぞれ解釈した複数の解釈情報を記憶部にあらかじめ記憶する解釈情報記憶ステップと、
前記複数の解釈情報にそれぞれ対応する前記文字情報の内容を示す複数の映像情報を記憶部にあらかじめ記憶する映像情報記憶ステップと、
前記文章コンテンツに含まれる文字情報をいずれの解釈カテゴリで解釈するかを選択した選択カテゴリと、当該文章コンテンツとをユーザから受け付けた場合に、当該文章コンテンツに含まれる各文字情報について、前記解釈情報記憶ステップにより記憶部に記憶されている複数の解釈情報の中から、当該選択カテゴリに対応する解釈情報を取得する解釈情報取得ステップと、
前記映像情報記憶ステップにより記憶部に記憶されている複数の映像情報の中から、前記解釈情報取得ステップにより取得された解釈情報に対応する文字情報の内容を示す映像情報を抽出して、映像コンテンツを生成する映像コンテンツ生成ステップと、
前記映像コンテンツ生成ステップにより生成された映像コンテンツと、前記文章コンテンツとをあわせてユーザに出力するコンテンツ出力ステップと、
を含んだことを特徴とする映像コンテンツ生成方法。
【請求項５】
前記複数の解釈情報は、前記文字情報を客観、主観及び属性でそれぞれ解釈した解釈情報を含むことを特徴とする請求項４に記載の映像コンテンツ生成方法。
【請求項６】
前記解釈情報取得ステップは、前記文章コンテンツに含まれる文字情報をいずれの解釈カテゴリで優先的に解釈するかが順位付けされた選択カテゴリを受け付けて、前記解釈情報記憶ステップにより記憶部に記憶されている解釈情報の中に、優先順位が上位の選択カテゴリに対応する解釈情報が記憶されていない場合には、優先順位が次位の選択カテゴリに対応した解釈情報を取得することを特徴とする請求項４又は５に記載の映像コンテンツ生成方法。
【請求項７】
複数の文字情報で構成される文章コンテンツから映像コンテンツを生成する映像コンテンツ生成装置であって、
前記文字情報ごとに、当該文字情報を異なるカテゴリでそれぞれ解釈した複数の解釈情報をあらかじめ記憶する解釈情報記憶部と、
前記複数の解釈情報にそれぞれ対応する前記文字情報の内容を示す複数の映像情報をあらかじめ記憶する映像情報記憶部と、
前記文章コンテンツに含まれる文字情報をいずれの解釈カテゴリで解釈するかを選択した選択カテゴリと、当該文章コンテンツとをユーザから受け付けた場合に、当該文章コンテンツに含まれる各文字情報について、前記解釈情報記憶部により記憶されている複数の解釈情報の中から、当該選択カテゴリに対応する解釈情報を取得する解釈情報取得部と、
前記映像情報記憶部により記憶されている複数の映像情報の中から、前記解釈情報取得部により取得された解釈情報に対応する文字情報の内容を示す映像情報を抽出して、映像コンテンツを生成する映像コンテンツ生成部と、
前記映像コンテンツ生成部により生成された映像コンテンツと、前記文章コンテンツとをあわせてユーザに出力するコンテンツ出力部と、
を有することを特徴とする映像コンテンツ生成装置。
【請求項８】
前記複数の解釈情報は、前記文字情報を客観、主観及び属性でそれぞれ解釈した解釈情報を含むことを特徴とする請求項７に記載の映像コンテンツ生成装置。
【請求項９】
前記解釈情報取得部は、前記文章コンテンツに含まれる文字情報をいずれの解釈カテゴリで優先的に解釈するかが順位付けされた選択カテゴリを受け付けて、前記解釈情報記憶部により記憶されている解釈情報の中に、優先順位が上位の選択カテゴリに対応する解釈情報が記憶されていない場合には、優先順位が次位の選択カテゴリに対応した解釈情報を取得することを特徴とする請求項７又は８に記載の映像コンテンツ生成装置。
【発明の詳細な説明】
【技術分野】
【０００１】
この発明は、複数の文字情報で構成される文章コンテンツから映像コンテンツを生成する映像コンテンツ生成プログラム、映像コンテンツ生成方法および映像コンテンツ生成装置に関する。
【背景技術】
【０００２】
近年、Ｗｅｂサイト上で展開されるブログや、ネットワークを介して配信される配信小説など、言葉で構成されたコンテンツ（以下、適宜「ことばのコンテンツ」と記載する）の内容の充実化を図ったり、「ことばのコンテンツ」の解釈を手助けしたりすること等を目的として、言葉をビジュアル化する技術が注目され始めている。
【０００３】
例えば、非特許文献１には、ブログなどの情報を視覚的に表現するために、テキストデータからマンガを自動再生するシステムが記載されている。
【０００４】
【非特許文献１】「Ｃｏｍｉｃ Ｖｉｓｕａｌｉｚａｔｉｏｎ」、［online］、［平成２０年１月１７日検索］、インターネット＜http://trendy.nikkeibp.co.jp/article/column/20070613/1000873/?P=3＞
【発明の開示】
【発明が解決しようとする課題】
【０００５】
しかしながら、上記した従来の技術は、テキストデータ内の言葉からマンガを生成して自動再生するものに過ぎないので、「ことばのコンテンツ」をビジュアル化する場合に、ユーザの意図、望みあるいは期待をより正確に反映するものではなかったという問題点があった。
【０００６】
そこで、この発明は、上述した従来技術の課題を解決するためになされたものであり、「ことばのコンテンツ」をビジュアル化する場合に、ユーザの意図、望みあるいは期待をより正確に反映させることが可能な映像コンテンツ生成プログラム、映像コンテンツ生成方法および映像コンテンツ生成装置を提供することを目的とする。
【課題を解決するための手段】
【０００７】
上述した課題を解決し、目的を達成するため、本発明は、複数の文字情報で構成される文章コンテンツから映像コンテンツを生成する処理をコンピュータに実行させる映像コンテンツ生成プログラムであって、前記文字情報を異なるカテゴリで解釈した解釈情報を前記文字情報ごとに記憶部にあらかじめ記憶する解釈情報記憶手順と、前記解釈情報に対応する映像情報を記憶部にあらかじめ記憶する映像情報記憶手順と、前記文章コンテンツに含まれる文字情報をいずれの解釈カテゴリで解釈するかを選択した選択カテゴリと、当該文章コンテンツとをユーザから受け付けた場合に、当該文章コンテンツに含まれる各文字情報について、前記解釈情報記憶手順により記憶部に記憶されている解釈情報の中から、当該選択カテゴリに対応する解釈情報を取得する解釈情報取得手順と、前記映像情報記憶手順により記憶部に記憶されている映像情報の中から、前記解釈情報取得手順により取得された解釈情報に対応する映像情報を抽出して、映像コンテンツを生成する映像コンテンツ生成手順と、前記映像コンテンツ生成手順により生成された映像コンテンツと、前記文章コンテンツとをあわせてユーザに出力するコンテンツ出力手順と、をコンピュータに実行させることを特徴とする。
【０００８】
また、本発明は、上記の発明において、前記解釈情報取得手順は、前記文章コンテンツに含まれる文字情報をいずれの解釈カテゴリで優先的に解釈するかが順位付けされた選択カテゴリを受け付けて、前記解釈情報記憶手順により記憶部に記憶されている解釈情報の中に、優先順位が上位の選択カテゴリに対応する解釈情報が記憶されていない場合には、優先順位が次位の選択カテゴリに対応した解釈情報を取得することを特徴とする。
【０００９】
また、本発明は、複数の文字情報で構成される文章コンテンツから映像コンテンツを生成する映像コンテンツ生成方法であって、前記文字情報を異なるカテゴリで解釈した解釈情報を前記文字情報ごとに記憶部にあらかじめ記憶する解釈情報記憶ステップと、前記解釈情報に対応する映像情報を記憶部にあらかじめ記憶する映像情報記憶ステップと、前記文章コンテンツに含まれる文字情報をいずれの解釈カテゴリで解釈するかを選択した選択カテゴリと、当該文章コンテンツとをユーザから受け付けた場合に、当該文章コンテンツに含まれる各文字情報について、前記解釈情報記憶ステップにより記憶部に記憶されている解釈情報の中から、当該選択カテゴリに対応する解釈情報を取得する解釈情報取得ステップと、前記映像情報記憶ステップにより記憶部に記憶されている映像情報の中から、前記解釈情報取得ステップにより取得された解釈情報に対応する映像情報を抽出して、映像コンテンツを生成する映像コンテンツ生成ステップと、前記映像コンテンツ生成ステップにより生成された映像コンテンツと、前記文章コンテンツとをあわせてユーザに出力するコンテンツ出力ステップと、を含んだことを特徴とする。
【００１０】
また、本発明は、上記の発明において、前記解釈情報取得ステップは、前記文章コンテンツに含まれる文字情報をいずれの解釈カテゴリで優先的に解釈するかが順位付けされた選択カテゴリを受け付けて、前記解釈情報記憶ステップにより記憶部に記憶されている解釈情報の中に、優先順位が上位の選択カテゴリに対応する解釈情報が記憶されていない場合には、優先順位が次位の選択カテゴリに対応した解釈情報を取得することを特徴とする。
【００１１】
また、本発明は、複数の文字情報で構成される文章コンテンツから映像コンテンツを生成する映像コンテンツ生成装置であって、前記文字情報を異なるカテゴリで解釈した解釈情報を前記文字情報ごとにあらかじめ記憶する解釈情報記憶部と、前記解釈情報に対応する映像情報をあらかじめ記憶する映像情報記憶部と、前記文章コンテンツに含まれる文字情報をいずれの解釈カテゴリで解釈するかを選択した選択カテゴリと、当該文章コンテンツとをユーザから受け付けた場合に、当該文章コンテンツに含まれる各文字情報について、前記解釈情報記憶部により記憶されている解釈情報の中から、当該選択カテゴリに対応する解釈情報を取得する解釈情報取得部と、前記映像情報記憶部により記憶されている映像情報の中から、前記解釈情報取得部により取得された解釈情報に対応する映像情報を抽出して、映像コンテンツを生成する映像コンテンツ生成部と、前記映像コンテンツ生成部により生成された映像コンテンツと、前記文章コンテンツとをあわせてユーザに出力するコンテンツ出力部と、を有することを特徴とする。
【００１２】
また、本発明は、上記の発明において、前記解釈情報取得部は、前記文章コンテンツに含まれる文字情報をいずれの解釈カテゴリで優先的に解釈するかが順位付けされた選択カテゴリを受け付けて、前記解釈情報記憶部により記憶されている解釈情報の中に、優先順位が上位の選択カテゴリに対応する解釈情報が記憶されていない場合には、優先順位が次位の選択カテゴリに対応した解釈情報を取得することを特徴とする。
【発明の効果】
【００１３】
本発明によれば、「ことばのコンテンツ」をビジュアル化する場合に、ユーザの意図、望みあるいは期待をより正確に反映させることが可能である。
【発明を実施するための最良の形態】
【００１４】
以下に添付図面を参照して、この発明に係る映像コンテンツ生成プログラム、映像コンテンツ生成方法および映像コンテンツ生成装置の実施例を詳細に説明する。なお、以下では、本発明に係る映像コンテンツ生成装置の一実施形態として実施例１を説明した後に、本発明に含まれる他の実施例を説明する。
【実施例１】
【００１５】
以下の実施例１では、実施例１に係る映像コンテンツ生成装置の概要および特徴、かかる映像コンテンツ生成装置の構成および処理を順に説明し、最後に実施例１による効果を説明する。
【００１６】
［映像コンテンツ生成装置の概要および特徴（実施例１）］
まず、図１を用いて、実施例１に係る映像コンテンツ生成装置の概要および特徴を説明する。図１は、実施例１に係る映像コンテンツ生成装置の概要および特徴を説明するための図である。
【００１７】
複数の文字情報で構成される「ことばのコンテンツ」からビジュアルなコンテンツを生成することを概要とするが、「ことばのコンテンツ」をビジュアル化する場合に、ユーザの意図、望みあるいは期待をより正確に反映させることが可能である点に主たる特徴がある。
【００１８】
ここで、「ことばのコンテンツ」とは、例えば、俳句や詩、小説などの文芸作品、新聞や雑誌の記事、電子メールやブログの本文など文字情報で構成されたテキスト情報である。「ビジュアルなコンテンツ」とは、例えば、絵や写真などの画像やマンガ、動画などの映像情報である。
【００１９】
上記の主たる特徴について具体的に説明すると、図１に示すように、実施例１に係る映像コンテンツ生成装置は、解釈情報ＤＢおよびビジュアル部品ＤＢを予め備える。
【００２０】
解釈情報ＤＢは、文字情報を解釈するための解釈カテゴリ（例えば、「客観」、「主観」および「属性」）ごとに、文字情報を特定するための「ことばＩＤ」に対応付けて解釈情報を記憶する。ここで、解釈カテゴリが客観である場合には、例えば、辞書や一般常識など、世間一般的な正確性で、「ことばのコンテンツ」に含まれる文字情報を客観的に解釈した場合のビジュアル部品ＩＤ（「ビジュアルなコンテンツ」を生成するための映像情報を特定するための情報）を解釈情報として記憶する。
【００２１】
また、解釈カテゴリが主観である場合には、ユーザ個人の考え方や先入観など、文章コンテンツに含まれる文字情報をユーザの主観で解釈した場合のビジュアル部品ＩＤを解釈情報として記憶する。
【００２２】
また、解釈カテゴリが属性である場合には、文章コンテンツの作者や作成時期など、文章コンテンツ作成者の世界観や、文章コンテンツ作成時の時代背景などにより文字情報を解釈した場合のビジュアル部品ＩＤを解釈情報として記憶する。
【００２３】
ビジュアル部品ＤＢは、「ビジュアルなコンテンツ」を生成するための映像情報を記憶して構成され、ことばＩＤおよびビジュアル部品ＩＤに対応付けて映像情報を記憶する。
【００２４】
そして、実施例１に係る映像コンテンツ生成装置は、ユーザから、「ことばのコンテンツ」の入力を受け付けると（図１の（１）参照）、「ことばのコンテンツ」に含まれる文字情報を解釈するための各解釈カテゴリ（客観、主観、属性）の選択をユーザに要求する（図１の（２）参照）。
【００２５】
ユーザから選択カテゴリを取得すると（図１の（３）参照）、実施例１に係る映像コンテンツ生成装置は、ユーザから入力された「ことばのコンテンツ」に含まれる各文字情報について、選択カテゴリに対応したビジュアル部品ＩＤを解釈情報ＤＢから取得する（図１の（４）参照）。例えば、選択カテゴリが「客観」である場合には、「ことばのコンテンツ」に含まれる各文字情報について、選択カテゴリである「客観」に対応した「ことばＩＤおよびビジュアル部品ＩＤ」を解釈情報ＤＢから取得する。
【００２６】
そして、実施例１に係る映像コンテンツ生成装置は、解釈情報ＤＢから取得した「ことばＩＤおよびビジュアル部品ＩＤ」に対応する映像情報をビジュアル部品ＤＢから取得した後（図１の（５）参照）、取得した映像情報を用いて「ビジュアルなコンテンツ」を生成し（図１の（６）参照）、「ことばのコンテンツ」と「ビジュアルなコンテンツ」とをあわせて出力する（図１の（７）参照）。
【００２７】
このようなことから、実施例１に係る映像コンテンツ生成装置は、上述した主たる特徴のように、「ことばのコンテンツ」をビジュアル化する場合に、ユーザの意図、望みあるいは期待をより正確に反映させることができる。
【００２８】
［映像コンテンツ生成装置の構成（実施例１）］
次に、図２〜図４を用いて、実施例１に係る映像コンテンツ生成装置の構成を説明する。図２は、実施例１に係る映像コンテンツ生成装置の構成を示すブロック図である。図３は、実施例１に係る解釈情報ＤＢに記憶される情報の構成例を示す図である。図４は、実施例１に係るビジュアル部品ＤＢに記憶される情報の構成例を示す図である。
【００２９】
図２に示すように、実施例１に係る映像コンテンツ生成装置１００は、入力部１１０と、出力部１２０と、記憶部１３０と、制御部１４０とを含んで構成される。
【００３０】
このうち、入力部１１０は、各種の情報の入力を受付ける入力受付部であり、キーボードやマウス、マイクなどを備えて構成され、例えば、「ことばのコンテンツ」などの入力をユーザから受け付ける。
【００３１】
なお、「ことばのコンテンツ」は、特許請求の範囲に記載の「文章コンテンツ」に対応し、例えば、俳句や詩、小説などの文芸作品、新聞や雑誌の記事、電子メールやブログの本文など文字情報で構成されたテキスト情報である。
【００３２】
また、出力部１２０は、各種の情報を出力する出力部であり、モニタ（若しくはディスプレイ、タッチパネル）やスピーカを備えて構成され、例えば、後述するコンテンツ出力制御部１４３からの指示を受けて、「ことばのコンテンツ」と「ビジュアルなコンテンツ」とをあわせて表示出力する。なお、出力部１２０がモニタを備える場合には、上記の入力部１１０が備えるマウスと協働してポインティングディバイス機能を実現する。
【００３３】
なお、「ビジュアルなのコンテンツ」は、特許請求の範囲に記載の「映像コンテンツ」に対応し、絵や写真などの画像やマンガ、動画などの映像情報である。
【００３４】
記憶部１３０は、制御部１４０による各種処理に必要なデータおよびプログラムを記憶する記憶部であり、特に本発明に密接に関連するものとしては、解釈情報ＤＢ１３１と、ビジュアル部品ＤＢ１３２とを有する。
【００３５】
解釈情報ＤＢ１３１は、例えば、図３に示すように、文字情報を解釈するための解釈カテゴリ（「客観」、「主観」および「属性」）ごとに、文字情報を特定するためのことばＩＤ（例えば、「ＷＡ１」）に対応付けて、解釈情報であるビジュアル部品ＩＤを記憶する。
【００３６】
解釈カテゴリが客観である場合には、例えば、辞書や一般常識など、世間一般的な正確性で、「ことばのコンテンツ」に含まれる文字情報を客観的に解釈した場合のビジュアル部品ＩＤ（「ビジュアルなコンテンツ」を生成するための映像情報を特定するための情報）を記憶する。例えば、文字「猫」のことばＩＤ「ＷＡ１」に対応するビジュアル部品ＩＤ「ＶＡ１」や「ＶＡ２」には、白地に茶や黒縁の短毛猫など、一般的な猫の画像が対応付けられる。
【００３７】
また、解釈カテゴリが主観である場合には、ユーザ個人の考え方や先入観など、文章コンテンツに含まれる文字情報を解釈者の主観で解釈した場合のビジュアル部品ＩＤを記憶する。例えば、文字「猫」のことばＩＤ「ＷＡ１」に対応するビジュアル部品ＩＤ「ＶＢ１」や「ＶＢ２」には、解釈者が飼っている猫や、解釈者好みのペルシャやロシアンブルーなどの純血外国種の猫などの画像が対応付けられる。
【００３８】
また、解釈カテゴリが属性である場合には、文章コンテンツの作者や作成時期など、文章コンテンツ作成者の世界観や、文章コンテンツ作成時の時代背景などにより文字情報を解釈した場合のビジュアル部品ＩＤを記憶する。例えば、文字「猫」のことばＩＤ「ＷＡ１」に対応するビジュアル部品ＩＤ「ＶＣ１」や「ＶＣ２」には、文章コンテンツとして入力された小説の時代背景にあわせた猫などの画像が対応付けられる。
【００３９】
なお、解釈情報ＤＢ１３１は、ビジュアル部品ＤＢ１３２に映像情報が記憶されていない場合に備えて、ブランク（映像なし）のビジュアル部品ＩＤを記憶しておくようにしてもよい。
【００４０】
ビジュアル部品ＤＢ１３２は、例えば、図４に示すように、ことばＩＤおよびビジュアル部品ＩＤに対応付けて映像情報を記憶する。なお、ビジュアル部品ＤＢ１３２は、ブランク（映像なし）のビジュアル部品ＩＤに対応した「ブランクの映像情報」、あるいは「映像なし」という映像情報をあわせて記憶しておくようにしてもよい。
【００４１】
制御部１４０は、所定の制御プログラム、各種の処理手順などを規定したプログラムおよび所要データを格納するための内部メモリを有し、これらによって種々の処理を実行する処理部であり、特に本発明に密接に関連するものとしては、解釈情報取得部１４１と、映像コンテンツ生成部１４２と、コンテンツ出力制御部１４３とを有する。
【００４２】
解釈情報取得部１４１は、ユーザから、「ことばのコンテンツ」の入力を受け付けると、「ことばのコンテンツ」に含まれる文字情報を解釈するための各解釈カテゴリ（客観、主観、属性）の選択をユーザに要求する。
【００４３】
解釈情報取得部１４１は、ユーザから選択カテゴリを取得すると、ユーザから入力された「ことばのコンテンツ」に含まれる各文字情報について、選択カテゴリに対応した「ことばＩＤおよびビジュアル部品ＩＤ」を解釈情報ＤＢ１３１から取得する。
【００４４】
例えば、解釈情報取得部１４１は、ユーザから取得した選択カテゴリが「客観」である場合には、「ことばのコンテンツ」に含まれる文字情報の「猫」について、選択カテゴリである「客観」に対応した「ことばＩＤ」として「ＷＡ１」、「およびビジュアル部品ＩＤ」として「ＶＡ１」および「ＶＡ２」を解釈情報ＤＢ１３１から取得する。同様にして、「ことばのコンテンツ」に含まれる全文字情報について、選択カテゴリに対応した「ことばＩＤおよびビジュアル部品ＩＤ」を解釈情報ＤＢ１３１から取得する。
【００４５】
なお、解釈情報取得部１４１は、選択カテゴリに対応した「ことばＩＤおよびビジュアル部品ＩＤ」を解釈情報ＤＢ１３１から取得できなかった場合（存在しない場合）には、ブランク（映像なし）のビジュアル部品ＩＤを解釈情報ＤＢ１３１から取得するようにしてもよい。
【００４６】
映像コンテンツ生成部１４２は、解釈情報取得部１４１により解釈情報ＤＢ１３１から取得された「ことばＩＤおよびビジュアル部品ＩＤ」に対応する映像情報をビジュアル部品ＤＢ１３２から取得した後、取得した映像情報を用いて「ビジュアルなコンテンツ」を生成する。
【００４７】
例えば、映像コンテンツ生成部１４２は、解釈情報取得部１４１により解釈情報ＤＢ１３１から取得された「ことばＩＤ＝ＷＡ１」および「ビジュアル部品ＩＤ＝ＶＡ１」に対応する映像情報と、解釈情報取得部１４１により解釈情報ＤＢ１３１から取得された「ことばＩＤ＝ＷＡ１」および「ビジュアル部品ＩＤ＝ＶＡ２」に対応する映像情報とをビジュアル部品ＤＢ１３２から取得する。
【００４８】
また、映像コンテンツ生成部１４２は、解釈情報取得部１４１により解釈情報ＤＢ１３１から取得された「ビジュアル部品ＩＤ」がブランク（映像なし）に対応するものである場合には、ブランク（映像なし）の「ビジュアル部品ＩＤ」に対応する映像情報をビジュアル部品ＤＢ１３２から取得する。
【００４９】
そして、映像コンテンツ生成部１４２は、ビジュアル部品ＤＢ１３２から取得した映像情報がリスト表示された「ビジュアルなコンテンツ」を生成する。
【００５０】
コンテンツ出力制御部１４３は、映像コンテンツ生成部１４２により生成された「ビジュアルなコンテンツ」と、ユーザから入力された「ことばのコンテンツ」とをあわせて、出力部１２０に表示出力するように指示する。
【００５１】
なお、映像コンテンツ生成装置１００は、既知のパーソナルコンピュータ、ワークステーションなどの情報処理装置に、上記した各機能を搭載することによって実現することもできる。
【００５２】
［映像コンテンツ生成装置による処理（実施例１）］
次に、図５を用いて、実施例１に係る映像コンテンツ生成装置による処理を説明する。図５は、実施例１に係る映像コンテンツ生成装置による処理の流れを示すフロー図である。
【００５３】
同図に示すように、ユーザから、「ことばのコンテンツ」の入力を受け付けると（ステップＳ５０１肯定）、解釈情報取得部１４１は、「ことばのコンテンツ」に含まれる文字情報を解釈するための各解釈カテゴリ（客観、主観、属性）の選択をユーザに要求して、選択カテゴリを取得する（ステップＳ５０２）。
【００５４】
解釈情報取得部１４１は、ユーザから選択カテゴリを取得すると、ユーザから入力された「ことばのコンテンツ」に含まれる文字情報を一つ取得し（ステップＳ５０３）、この文字情報について、選択カテゴリに対応した「ことばＩＤ」が存在するか否かを解釈情報ＤＢ１３１に検索をかけて確認する（ステップＳ５０４）。
【００５５】
確認の結果、選択カテゴリに対応した「ことばＩＤ」の存在が確認された場合には（ステップＳ５０４肯定）、解釈情報取得部１４１は、存在が確認された「ことばＩＤ」と、この「ことばＩＤ」に対応する「ビジュアル部品ＩＤ」を解釈情報ＤＢ１３１から取得する（ステップＳ５０５）。
【００５６】
続いて、解釈情報取得部１４１は、ユーザから入力された「ことばのコンテンツ」に含まれる全文字情報について、「ことばＩＤおよびビジュアル部品ＩＤ」の取得を完了したか否かを確認する（ステップＳ５０６）。
【００５７】
確認の結果、ユーザから入力された「ことばのコンテンツ」に含まれる全文字情報について、「ことばＩＤおよびビジュアル部品ＩＤ」の取得を完了していることが解釈情報取得部１４１により確認された場合には（ステップＳ５０６肯定）、映像コンテンツ生成部１４２は、解釈情報取得部１４１により解釈情報ＤＢ１３１から取得された「ことばＩＤおよびビジュアル部品ＩＤ」に対応する映像情報をビジュアル部品ＤＢ１３２から取得した後（ステップＳ５０７）、取得した映像情報を用いて「ビジュアルなコンテンツ」を生成する（ステップＳ５０８）。
【００５８】
これとは反対に、ユーザから入力された「ことばのコンテンツ」に含まれる全文字情報について、「ことばＩＤおよびビジュアル部品ＩＤ」の取得を完了していることが確認されなかった場合には（ステップＳ５０６否定）、解釈情報取得部１４１は、上述したように（ステップＳ５０３〜ステップＳ５０５参照）、残りの文字情報について「ことばＩＤおよびビジュアル部品ＩＤ」の取得を継続する。
【００５９】
そして、コンテンツ出力制御部１４３は、映像コンテンツ生成部１４２により生成された「ビジュアルなコンテンツ」と、ユーザから入力された「ことばのコンテンツ」とをあわせて、出力部１２０に表示出力するように指示し、出力部１２０は、「ことばのコンテンツ」と「ビジュアルなコンテンツ」とをあわせて表示出力する（ステップＳ５０９）。
【００６０】
ここで、ステップＳ５０４の説明に戻ると、解釈情報取得部１４１は、選択カテゴリに対応した「ことばＩＤ」の存在が確認されなかった場合には（ステップＳ５０４否定）、上述したステップＳ５０６と同様に、ユーザから入力された「ことばのコンテンツ」に含まれる全文字情報について、「ことばＩＤおよびビジュアル部品ＩＤ」の取得を完了したか否かを確認する。
【００６１】
なお、図には示していないが、解釈情報取得部１４１は、選択カテゴリに対応した「ことばＩＤ」の存在が確認されなかった場合には（ステップＳ５０４否定）、ブランク（映像なし）のビジュアル部品ＩＤを解釈情報ＤＢ１３１から取得するようにしてもよい。
【００６２】
［実施例１による効果］
上述してきたように、実施例１によれば、文字情報を異なるカテゴリで解釈した場合の「ビジュアル部品ＩＤ」を文字情報ごとにあらかじめ記憶するとともに、ビジュアル部品ＩＤに対応する映像情報をあらかじめ記憶しておき、「ことばのコンテンツ」に含まれる文字情報をいずれの解釈カテゴリで解釈するかを選択した選択カテゴリと、「ことばのコンテンツ」とをユーザから受け付けた場合に、「ことばのコンテンツ」に含まれる各文字情報について、ユーザから受け付けた選択カテゴリに対応するビジュアル部品ＩＤを取得し、取得されたビジュアル部品ＩＤに対応する映像情報を抽出して「ビジュアルなコンテンツ」を生成し、この「ビジュアルなコンテンツ」と、「ことばのコンテンツ」とをあわせてユーザに出力するので、「ことばのコンテンツ」をビジュアル化する場合に、ユーザの意図、望みあるいは期待をより正確に反映させることが可能である。また、ユーザの意図、望みあるいは期待をより正確に反映した「ビジュアルなコンテンツ」をユーザに提供することができる。
【実施例２】
【００６３】
上記の実施例１では、ユーザから受け付けた選択カテゴリに対応するビジュアル部品を用いて、「ビジュアルなコンテンツ」を生成する場合を説明したが、本発明はこれに限定されるものではない。
【００６４】
すなわち、ユーザから受け付けた選択カテゴリに対応するビジュアル部品が解釈情報ＤＢ１３１内に存在しない場合には、その他のカテゴリに対応するビジュアル部品を用いて、「ビジュアルなコンテンツ」を生成するようにしてもよい。
【００６５】
そこで、以下の実施例２では、図６を用いて、実施例２に係る映像コンテンツ生成装置による処理を説明する。図６は、実施例２に係る映像コンテンツ生成装置の処理の流れを示すフロー図である。なお、実施例２に係る映像コンテンツ生成装置の処理は、図６に示すステップＳ６０２、ステップＳ６０４〜ステップＳ６０７が、上記の実施例１に係る映像コンテンツ生成装置の処理（図５参照）とは異なる。
【００６６】
すなわち、同図に示すように、ユーザから、「ことばのコンテンツ」の入力を受け付けると（ステップＳ６０１肯定）、解釈情報取得部１４１は、「ことばのコンテンツ」に含まれる文字情報をいずれの解釈カテゴリで優先的に解釈するかが順位付けされた選択カテゴリをユーザに要求して、選択カテゴリを取得する（ステップＳ６０２）。
【００６７】
例えば、ユーザは、「ことばのコンテンツ」に含まれる文字情報をいずれの解釈カテゴリで優先的に解釈するかが順位付けされた「客観（優先順位１）」、「主観（優先順位２）」および「属性（優先順位なし）」といった具合に構成された選択カテゴリを映像コンテンツ生成装置１００からの要求に応じて返信する。
【００６８】
そして、解釈情報取得部１４１は、優先順位が最上位（優先順位１）の選択カテゴリに対応した「ことばＩＤ」の存在が確認された場合には（ステップＳ６０４肯定）、存在が確認された「ことばＩＤ」と、この「ことばＩＤ」に対応する「ビジュアル部品ＩＤ」を解釈情報ＤＢ１３１から取得する（ステップＳ６０６）。
【００６９】
これとは反対に、解釈情報取得部１４１は、優先順位が最上位（優先順位１）の選択カテゴリに対応した「ことばＩＤ」の存在が確認されなかった場合には（ステップＳ６０４否定）、優先順位が次位（優先順位２）の選択カテゴリに対応した「ことばＩＤ」が存在するか否かを解釈情報ＤＢ１３１に検索をかけて確認する（ステップＳ６０５）。
【００７０】
確認の結果、優先順位が次位（優先順位２）の選択カテゴリに対応した「ことばＩＤ」の存在が確認された場合には（ステップＳ６０５肯定）、解釈情報取得部１４１は、存在が確認された「ことばＩＤ」と、この「ことばＩＤ」に対応する「ビジュアル部品ＩＤ」を解釈情報ＤＢ１３１から取得する（ステップＳ６０６）。
【００７１】
一方、優先順位が次位（優先順位２）の選択カテゴリに対応した「ことばＩＤ」の存在が確認されなかった場合には（ステップＳ６０５否定）、解釈情報取得部１４１は、ブランク（映像なし）のビジュアル部品ＩＤを解釈情報ＤＢ１３１から取得した後（ステップＳ６０７）、上記の実施例１と同様に（図５のステップＳ５０６参照）、ユーザから入力された「ことばのコンテンツ」に含まれる全文字情報について、「ことばＩＤおよびビジュアル部品ＩＤ」の取得を完了したか否かを確認する（ステップＳ６０８）。
【００７２】
なお、解釈情報取得部１４１は、優先順位が次位（優先順位２）の選択カテゴリに対応した「ことばＩＤ」の存在が確認されなかった場合に（ステップＳ６０５否定）、ブランク（映像なし）のビジュアル部品ＩＤを解釈情報ＤＢ１３１から取得する場合に限られるものではなく、何も取得せずに、ユーザから入力された「ことばのコンテンツ」に含まれる全文字情報について、「ことばＩＤおよびビジュアル部品ＩＤ」の取得を完了したか否かを確認するステップへ進むようにしてもよい。
【００７３】
［実施例２による効果］
上述してきたように、実施例２によれば、ユーザの意図、望みあるいは期待をより正確に反映させて、「ことばのコンテンツ」をビジュアル化することが可能である。
【００７４】
また、上記の実施例２において、解釈カテゴリの全てに優先順位を付与しておいて、すくなくともいずれかのカテゴリの解釈を反映して、「ことばのコンテンツ」をビジュアル化するようにしてもよい。
【００７５】
なお、選択カテゴリについては、ユーザにその都度要求することなく、映像コンテンツ生成装置１００に対してデフォルトで設定しておいてもよい。
【実施例３】
【００７６】
さて、これまで本発明の実施例１および２について説明してきたが、本発明は上述した実施例以外にも、種々の異なる形態にて実施されてよいものである。そこで、以下では、本発明に含まれる他の実施例を説明する。
【００７７】
（１）「ビジュアルなコンテンツ」の配信
上記の実施例で説明した映像コンテンツ生成装置１００と同様の機能を有する情報提供サーバを「ビジュアルなコンテンツ」を生成するサイトとして設置して、ネットワークを介して通信可能な状態にあるユーザ端末に、「ビジュアルなコンテンツ」を配信するようにしてもよい。
【００７８】
例えば、図７に示すように、「ことばのコンテンツ」および「選択カテゴリ」とともに、ユーザ端末からビジュアルコンテンツ要求が送信されると（図７の（１）参照）、情報提供サーバは、このビジュアルコンテンツ要求を受信して、上記の実施例と同様に、「ビジュアルなコンテンツ」を生成し、「ことばのコンテンツ」とあわせてユーザ端末に配信する。
【００７９】
（２）「ことばのコンテンツ」、「ことばＩＤおよびビジュアル部品ＩＤ」の流通
また、上記の実施例で説明した映像コンテンツ生成装置１００と同様の構成を有するユーザ端末間で、「ことばのコンテンツ」、「ことばＩＤおよびビジュアル部品ＩＤ」をやり取りすることで、「ビジュアルなコンテンツ」の生成を実現するようにしてもよい。
【００８０】
例えば、図８に示すように、同様の構成を有するユーザ端末Ａとユーザ端末Ｂとが通信可能な状態に接続されており、ユーザ端末Ａから「ことばのコンテンツ」、「ことばＩＤおよびビジュアル部品ＩＤ」が送信されると（図８の（１）参照）、ユーザ端末Ｂは、ユーザ端末Ａから受信した「ことばＩＤおよびビジュアル部品ＩＤ」に基づいて、映像情報をビジュアル部品ＤＢから抽出し、「ビジュアルなコンテンツ」を生成して出力する。
【００８１】
上述してきたように、ユーザ端末Ａから「ビジュアルなコンテンツ」をそのままユーザ端末Ｂに送信することなく、「ビジュアル部品ＩＤ」といった簡易な情報を送信するだけで、ユーザ端末Ａのユーザが意図する「ビジュアルなコンテンツ」がユーザ端末Ｂにおいて生成出力されるので、ユーザ端末間でユーザの意図を反映した「ビジュアルなコンテンツ」を流通させる場合に、送信側の装置における処理負荷を軽減することができる。
【００８２】
（３）装置構成等
また、図２に示した映像コンテンツ生成装置１００の各構成要素は機能概念的なものであり、必ずしも物理的に図示の如く構成されていることを要しない。すなわち、映像コンテンツ生成装置１００の分散・統合の具体的形態は図示のものに限られず、例えば、解釈情報ＤＢ１３１とビジュアル部品ＤＢ１３２とを統合するなど、その全部または一部を、各種の負荷や使用状況などに応じて、任意の単位で機能的または物理的に分散・統合して構成することができる。さらに、映像コンテンツ生成装置１００にて行なわれる各処理機能（図５または図６参照）は、その全部または任意の一部が、ＣＰＵおよび当該ＣＰＵにて解析実行されるプログラムにて実現され、あるいは、ワイヤードロジックによるハードウェアとして実現され得る。
【００８３】
（５）映像コンテンツ生成プログラム
また、上記の実施例で説明した映像コンテンツ生成装置１００の各種の処理（例えば、図５および図６等参照）は、あらかじめ用意されたプログラムをパーソナルコンピュータやワークステーションなどのコンピュータシステムで実行することによって実現することができる。そこで、以下では、図９を用いて、上記の実施例と同様の機能を有する映像コンテンツ生成プログラムを実行するコンピュータの一例を説明する。図９は、映像コンテンツ生成プログラムを実行するコンピュータを示す図である。
【００８４】
同図に示すように、映像コンテンツ生成装置としてコンピュータ２００は、入力部２１０、出力部２２０、ＨＤＤ２３０、ＲＡＭ２４０およびＣＰＵ２５０をバス３００で接続して構成される。
【００８５】
ここで、入力部２１０は、ユーザから各種データの入力を受け付ける。出力部２２０は、各種情報を表示する。ＨＤＤ２３０は、ＣＰＵ２５０による各種処理の実行に必要な情報を記憶する。ＲＡＭ２４０は、各種情報を一時的に記憶する。ＣＰＵ２５０は、各種演算処理を実行する。
【００８６】
そして、ＨＤＤ２３０には、図９に示すように、上記の実施例に示した映像コンテンツ生成装置１００の各処理部と同様の機能を発揮する映像コンテンツ生成プログラム２３１と、映像コンテンツ生成処理用データ２３２とがあらかじめ記憶されている。なお、この映像コンテンツ生成プログラム２３１を適宜分散させて、ネットワークを介して通信可能に接続された他のコンピュータの記憶部に記憶させておくこともできる。
【００８７】
そして、ＣＰＵ２５０が、この映像コンテンツ生成プログラム２３１をＨＤＤ２３０から読み出してＲＡＭ２４０に展開することにより、図９に示すように、映像コンテンツ生成プログラム２３１は映像コンテンツ生成プロセス２４１として機能するようになる。そして、映像コンテンツ生成プロセス２４１は、映像コンテンツ生成処理用データ２３２等をＨＤＤ２３０から読み出して、ＲＡＭ２４０において自身に割り当てられた領域に展開し、この展開したデータ等に基づいて各種処理を実行する。なお、映像コンテンツ生成プロセス２４１は、図２に示した映像コンテンツ生成装置の制御部１４０（解釈情報取得部１４１、映像コンテンツ生成部１４２およびコンテンツ出力制御部１４３）において実行される処理にそれぞれ対応する。
【００８８】
なお、上記した映像コンテンツ生成プログラム２３１については、必ずしも最初からＨＤＤ２３０に記憶させておく必要はなく、例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」、さらには、公衆回線、インターネット、ＬＡＮ、ＷＡＮなどを介してコンピュータ２００に接続される「他のコンピュータ（またはサーバ）」などに各プログラムを記憶させておき、コンピュータ２００がこれらから各プログラムを読み出して実行するようにしてもよい。
【００８９】
（３）映像コンテンツ生成方法
上記の実施例で説明した映像コンテンツ生成装置により、以下のような映像コンテンツ生成方法が実現される。
【００９０】
すなわち、複数の文字情報で構成される文章コンテンツから映像コンテンツを生成する映像コンテンツ生成方法であって、前記文字情報を異なるカテゴリで解釈した解釈情報を前記文字情報ごとに記憶部にあらかじめ記憶する解釈情報記憶ステップと（図３参照）、前記解釈情報に対応する映像情報を記憶部にあらかじめ記憶する映像情報記憶ステップと（図４参照）、前記文章コンテンツに含まれる文字情報をいずれの解釈カテゴリで解釈するかを選択した選択カテゴリと、当該文章コンテンツとをユーザから受け付けた場合に、当該文章コンテンツに含まれる各文字情報について、前記解釈情報記憶ステップにより記憶部に記憶されている解釈情報の中から、当該選択カテゴリに対応する解釈情報を取得する解釈情報取得ステップと（例えば、図５のステップＳ５０１〜ステップＳ５０６参照）、前記映像情報記憶ステップにより記憶部に記憶されている映像情報の中から、前記解釈情報取得ステップにより取得された解釈情報に対応する映像情報を抽出して、映像コンテンツを生成する映像コンテンツ生成ステップと（例えば、図５のステップＳ５０７およびステップＳ５０８参照）、前記映像コンテンツ生成ステップにより生成された映像コンテンツと、前記文章コンテンツとをあわせてユーザに出力するコンテンツ出力ステップと（例えば、図５のステップＳ５０９参照）、を含んだ映像コンテンツ生成方法が実現される。
【産業上の利用可能性】
【００９１】
以上のように、本発明に係る映像コンテンツ生成プログラム、映像コンテンツ生成方法および映像コンテンツ生成装置は、複数の文字情報で構成される文章コンテンツから映像コンテンツを生成する場合に有用であり、特に、「ことばのコンテンツ」をビジュアル化する場合に、ユーザの意図、望みあるいは期待をより正確に反映させることに適する。
【図面の簡単な説明】
【００９２】
【図１】実施例１に係る映像コンテンツ生成装置の概要および特徴を説明するための図である。
【図２】実施例１に係る映像コンテンツ生成装置の構成を示すブロック図である。
【図３】実施例１に係る解釈情報ＤＢに記憶される情報の構成例を示す図である。
【図４】実施例１に係るビジュアル部品ＤＢに記憶される情報の構成例を示す図である。
【図５】実施例１に係る映像コンテンツ生成装置による処理の流れを示すフロー図である。
【図６】実施例２に係る映像コンテンツ生成装置による処理の流れを示すフロー図である。
【図７】実施例２に係る概要を説明するための図である。
【図８】実施例２に係る概要を説明するための図である。
【図９】映像コンテンツ生成プログラムを実行するコンピュータを示す図である。
【符号の説明】
【００９３】
１００  映像コンテンツ生成装置
１１０  入力部
１２０  出力部
１３０  記憶部
１３１  解釈情報ＤＢ
１３２  ビジュアル部品ＤＢ
１４０  制御部
１４１  解釈情報取得部
１４２  映像コンテンツ生成部
１４３  コンテンツ出力制御部
２００  コンピュータ（映像コンテンツ生成装置）
２１０  入力部
２２０  出力部
２３０  ＨＤＤ（Hard Disk Drive）
２３１  映像コンテンツ生成プログラム
２３２  映像コンテンツ生成処理用データ
２４０  ＲＡＭ（Random Access Memory）
２４１  映像コンテンツ生成プロセス
２５０  ＣＰＵ（Central Processing Unit）
３００  バス
【図１】
0004963483.tif 000002
【図２】
0004963483.tif 000003
【図３】
0004963483.tif 000004
【図４】
0004963483.tif 000005
【図５】
0004963483.tif 000006
【図６】
0004963483.tif 000007
【図７】
0004963483.tif 000008
【図８】
0004963483.tif 000009
【図９】
0004963483.tif 000010